(57)【要約】【課題】情報処理装置において、操作者であるユーザの認証と所定の情報の入力を必要とする処理を一度の操作で容易に実行させる。【解決手段】情報処理装置は、表示装置（ＬＣＤパネル１１で例示）と制御装置（ＣＰＵ１５等で例示）とを備える。この制御装置は、操作手段として、ＬＣＤパネル１１の表示画面の背後の所定の位置に配設され、非接触カードに記録された識別情報を非接触で読み取る複数の通信手段（アンテナ群３０で例示）と、複数のアンテナのいずれかに非接触カードが近接されたときに、識別情報の読み取り、及び識別情報とは異なる他の情報（アンテナに応じた異なる種類の情報）の通信を行うよう、非接触カードが近接されたアンテナを制御する通信制御手段（セレクタ３１、通信ユニット３２、及びＣＰＵ１５で例示）とを備える。表示画面には、複数のアンテナのそれぞれに対して非接触カードを近接させる近接位置を示す位置表示を行っておく。【選択図】図２
2009059279.tif 000002
【特許請求の範囲】
【請求項１】
表示装置を備えた情報処理装置であって、該表示装置の表示画面の背後の所定の位置に配設され、非接触カードに記録された識別情報を非接触で読み取る複数の通信手段と、前記表示装置の表示画面に、該複数の通信手段のそれぞれに対して非接触カードを近接させる近接位置を示す位置表示を行う表示制御手段と、前記複数の通信手段のいずれかに非接触カードが近接されたときに、該非接触カードからの識別情報の読み取りと、前記非接触カードとの間の通信であって識別情報とは異なる他の情報の通信とを行うよう、前記非接触カードが近接された通信手段を制御する通信制御手段とを備え、該通信制御手段は、前記他の情報として、前記複数の通信手段に応じた異なる種類の情報の通信を行うよう、制御することを特徴とする情報処理装置。
【請求項２】
請求項１に記載の情報処理装置において、前記通信制御手段によって識別情報が読み取られたときに、該読み取られた識別情報を認証する認証手段を備え、前記通信制御手段は、前記認証手段で認証が成功した場合のみ、前記複数の通信手段に応じた異なる種類の情報の通信を許可して前記非接触カードが近接された通信手段を制御することを特徴とする情報処理装置。
【請求項３】
請求項２に記載の情報処理装置において、前記認証手段は、前記識別情報の読み取りを行った通信手段に依らず共通の認証方式を用いることを特徴とする情報処理装置。
【請求項４】
請求項１〜３のいずれか１項に記載の情報処理装置において、前記複数の通信手段のそれぞれに対応させた複数のアプリケーションが実行可能に組み込まれており、前記複数の通信手段に応じた異なる種類の情報は、各通信手段に対応したアプリケーションを実行する際に必要な情報であることを特徴とする情報処理装置。
【請求項５】
請求項１〜３のいずれか１項に記載の情報処理装置において、アプリケーションの一つとしてＷＥＢブラウザが実行可能に組み込まれており、前記通信制御手段は、前記複数の通信手段に応じた異なる種類の情報の一つとして、前記非接触カード内のメモリの所定のアドレスからＵＲＩを読み出すよう、一つの通信手段を制御し、当該情報処理装置は、前記通信制御手段によって前記ＵＲＩが読み出されたときに、該ＵＲＩを指定してＷＥＢブラウザを起動することを特徴とする情報処理装置。
【請求項６】
請求項５に記載の情報処理装置において、前記ＷＥＢブラウザは、前記ＵＲＩで示されるＷＥＢページの閲覧に際しユーザを識別するためのユーザ識別情報を必要とし、前記通信制御手段は、前記ＵＲＩを指定した後に、前記複数の通信手段に応じた異なる種類の情報の一つとして、前記非接触カード内のメモリの所定のアドレスから、前記ユーザ識別情報を読み出すよう、一つの通信手段を制御し、当該情報処理装置は、前記通信制御手段によって前記ユーザ識別情報が読み出されたときに、該ＵＲＩで示されるＷＥＢページに該ユーザ識別情報を与えることを特徴とする情報処理装置。
【請求項７】
請求項１〜３のいずれか１項に記載の情報処理装置において、複数のファイルが読み出し可能な状態で格納され、且つアプリケーションの一つとしてファイラが実行可能に組み込まれており、前記通信制御手段は、前記複数の通信手段に応じた異なる種類の情報の一つとして、前記非接触カード内のメモリの所定のアドレスからファイル名を読み出すよう、一つの通信手段を制御し、当該情報処理装置は、前記通信制御手段によって前記ファイル名が読み出されたときに、該ファイル名を指定して前記ファイラを起動し該ファイル名が示すファイルにアクセスすることを特徴とする情報処理装置。
【請求項８】
請求項７に記載の情報処理装置において、当該情報処理装置には複数のファイルを記憶した１又は複数台のサーバ装置がアクセス可能に接続されており、前記通信制御手段は、前記複数の通信手段に応じた異なる種類の情報の一つとして、前記非接触カード内のメモリの所定のアドレスからサーバ装置を特定するための特定情報を読み出すよう、一つの通信手段を制御し、当該情報処理装置は、前記通信制御手段によって前記特定情報が読み出されたときに、該特定情報でサーバ装置を指定して前記ファイラを起動し、該サーバ装置に記憶されたファイルの一覧を表示することを特徴とする情報処理装置。
【請求項９】
請求項１〜３のいずれか１項に記載の情報処理装置において、当該情報処理装置には１又は複数台の画像処理装置が接続されており、前記通信制御手段は、前記複数の通信手段に応じた異なる種類の情報の一つとして、前記非接触カード内のメモリの所定のアドレスから画像処理装置を特定するための特定情報を読み出すよう、一つの通信手段を制御し、当該情報処理装置は、前記通信制御手段によって前記特定情報が読み出されたときに、該特定情報で特定される画像処理装置に対して所定の画像処理を実行するよう制御することを特徴とする情報処理装置。
【請求項１０】
請求項１〜３のいずれか１項に記載の情報処理装置において、複数の情報が読み出し可能な状態で格納されており、前記通信制御手段は、前記他の情報として、前記複数の通信手段に応じて異なる情報を、前記非接触カード内のメモリに書き込むよう制御することを特徴とする情報処理装置。
【請求項１１】
請求項１〜３のいずれか１項に記載の情報処理装置において、複数のファイルが読み出し可能な状態で格納されており、前記通信制御手段は、前記複数の通信手段に応じた異なる種類の情報の一つとして、前記非接触カード内のメモリに所定のファイルを書き込むよう、一つの通信手段を制御することを特徴とする情報処理装置。
【請求項１２】
請求項１〜３のいずれか１項に記載の情報処理装置において、アプリケーションの一つとして電子メールのメーラが実行可能に組み込まれており、前記通信制御手段は、前記複数の通信手段に応じた異なる種類の情報の一つとして、前記非接触カード内のメモリの所定のアドレスから電子メールアドレスを読み出すよう、一つの通信手段を制御し、当該情報処理装置は、前記通信制御手段によって前記電子メールアドレスが読み出されたときに、前記メーラを起動し宛先として該電子メールアドレスを設定する、若しくは前記メーラを起動し前記電子メールアドレスを宛先として所定の情報を送信することを特徴とする情報処理装置。
【請求項１３】
請求項１〜３のいずれか１項に記載の情報処理装置において、アプリケーションの一つとして、当該情報処理装置を電子会議システムの端末として機能させるための電子会議用アプリケーションが実行可能に組み込まれており、前記通信制御手段は、前記複数の通信手段に応じた異なる種類の情報の一つとして、前記非接触カード内のメモリの所定のアドレスから、前記電子会議システムにログインする際に必要なログイン情報と接続先を示す接続先情報とを読み出すよう、一つの通信手段を制御し、当該情報処理装置は、前記通信制御手段によって前記ログイン情報及び接続先情報が読み出されたときに、前記電子会議用アプリケーションを起動し、前記接続先情報が示す接続先に接続することを特徴とする情報処理装置。
【請求項１４】
請求項１〜３のいずれか１項に記載の情報処理装置において、前記複数の通信手段のうち２以上の所定数の通信手段に対応させた共通のアプリケーションが実行可能に組み込まれており、前記所定数の通信手段に応じた異なる種類の情報は、前記共通のアプリケーションを実行する際に、各情報のうちいずれか１つが選択的に必要な選択情報であり、前記通信制御手段は、前記所定数の通信手段に応じた異なる種類の情報の一つとして、前記非接触カード内のメモリの所定のアドレスから前記選択情報を読み出すよう、前記所定数の通信手段の一つを制御し、当該情報処理装置は、前記通信制御手段によって前記選択情報が読み出されたときに、前記共通のアプリケーションに該選択情報を渡すことを特徴とする情報処理装置。
【請求項１５】
請求項１４に記載の情報処理装置において、前記通信制御手段は、前記選択情報に加え、前記共通のアプリケーションを実行する際に必要な共通の情報を読み出すよう、前記所定数の通信手段の一つを制御し、当該情報処理装置は、前記通信制御手段によって前記共通の情報及び／又は前記選択情報が読み出されたときに、前記共通のアプリケーションを起動することを特徴とする情報処理装置。
【発明の詳細な説明】
【技術分野】
【０００１】
本発明は、表示装置を備えた情報処理装置に関する。
【背景技術】
【０００２】
パーソナルコンピュータ（ＰＣ）などの情報処理装置には、それを操作するためのキーボードやポインティングデバイスといった操作装置が具備され、同じく具備された表示装置に表示した情報等に対してユーザ操作が可能となっている。
【０００３】
また、非接触方式の電子カードの情報を、表示装置の背面に設けたカードリーダで読み取って入力する装置が知られている（例えば、特許文献１を参照）。
【特許文献１】特開２００３−３４６０９４号公報
【発明の開示】
【発明が解決しようとする課題】
【０００４】
ところで、従来の情報処理装置では、装置本体の使用に際しユーザ認証を必要とする場合であって、所定の情報の入力を必要とする処理を実行しようとした場合、認証作業を実行してから、その処理を指定する所定の操作（すなわち情報入力を可能にするための所定の操作）を行って、さらに所定の情報の入力を行う必要がある。
【０００５】
ここで、所定の情報とは、例えばＵＲＬ（Uniform Resource Locators）等のＵＲＩ（Uniform Resource Identifiers）、ファイル名、Ｅメールアドレス等の情報を指す。また、この認証作業は、操作装置で認証コードをキー入力等により入力するか、或いはより操作性を向上させるために、特許文献１に記載の技術を採用して非接触方式の電子カード（非接触カード）で認証コードを入力するなどによって実行している。
【０００６】
同様に、ユーザが使用可能な情報処理装置において、ユーザ認証及び上記所定の情報の入力を必要とする処理を実行しようとした場合にも、認証作業を実行してから情報入力を可能にするための所定の操作を行って、さらに所定の情報の入力を行う必要がある。
【０００７】
このように、従来の情報処理装置では、所定の情報の入力を必要とする処理を実行しようとした場合に予めユーザ認証が要求される場合、認証作業と、情報入力を可能にするための所定の操作（すなわち実行しようとする処理の指定）と、所定の情報の入力操作とで、合計３つの作業が必要であり、操作性が悪くなっている。
【０００８】
本発明は、上述のごとき実状に鑑みてなされたものであり、情報処理装置において、操作者であるユーザの認証と所定の情報の入力を必要とする処理を、一度の操作で容易に実行させることを、その目的とする。
【課題を解決するための手段】
【０００９】
上述のごとき課題を解決するために、本発明の第１の技術手段は、表示装置を備えた情報処理装置であって、該表示装置の表示画面の背後の所定の位置に配設され、非接触カードに記録された識別情報を非接触で読み取る複数の通信手段と、前記表示装置の表示画面に、該複数の通信手段のそれぞれに対して非接触カードを近接させる近接位置を示す位置表示を行う表示制御手段と、前記複数の通信手段のいずれかに非接触カードが近接されたときに、該非接触カードからの識別情報の読み取りと、前記非接触カードとの間の通信であって識別情報とは異なる他の情報の通信とを行うよう、前記非接触カードが近接された通信手段を制御する通信制御手段とを備え、該通信制御手段は、前記他の情報として、前記複数の通信手段に応じた異なる種類の情報の通信を行うよう、制御することを特徴としたものである。
【００１０】
第２の技術手段は、第１の技術手段において、前記通信制御手段によって識別情報が読み取られたときに、該読み取られた識別情報を認証する認証手段を備え、前記通信制御手段は、前記認証手段で認証が成功した場合のみ、前記複数の通信手段に応じた異なる種類の情報の通信を許可して前記非接触カードが近接された通信手段を制御することを特徴としたものである。
【００１１】
第３の技術手段は、第２の技術手段において、前記認証手段は、前記識別情報の読み取りを行った通信手段に依らず共通の認証方式を用いることを特徴としたものである。
【００１２】
第４の技術手段は、第１〜第３のいずれかの技術手段において、前記複数の通信手段のそれぞれに対応させた複数のアプリケーションが実行可能に組み込まれており、前記複数の通信手段に応じた異なる種類の情報は、各通信手段に対応したアプリケーションを実行する際に必要な情報であることを特徴としたものである。
【００１３】
第５の技術手段は、第１〜第３のいずれかの技術手段において、アプリケーションの一つとしてＷＥＢブラウザが実行可能に組み込まれており、前記通信制御手段は、前記複数の通信手段に応じた異なる種類の情報の一つとして、前記非接触カード内のメモリの所定のアドレスからＵＲＩを読み出すよう、一つの通信手段を制御し、当該情報処理装置は、前記通信制御手段によって前記ＵＲＩが読み出されたときに、該ＵＲＩを指定してＷＥＢブラウザを起動することを特徴としたものである。
【００１４】
第６の技術手段は、第５の技術手段において、前記ＷＥＢブラウザは、前記ＵＲＩで示されるＷＥＢページの閲覧に際しユーザを識別するためのユーザ識別情報を必要とし、前記通信制御手段は、前記ＵＲＩを指定した後に、前記複数の通信手段に応じた異なる種類の情報の一つとして、前記非接触カード内のメモリの所定のアドレスから、前記ユーザ識別情報を読み出すよう、一つの通信手段を制御し、当該情報処理装置は、前記通信制御手段によって前記ユーザ識別情報が読み出されたときに、該ＵＲＩで示されるＷＥＢページに該ユーザ識別情報を与えることを特徴としたものである。
【００１５】
第７の技術手段は、第１〜第３のいずれかの技術手段において、複数のファイルが読み出し可能な状態で格納され、且つアプリケーションの一つとしてファイラが実行可能に組み込まれており、前記通信制御手段は、前記複数の通信手段に応じた異なる種類の情報の一つとして、前記非接触カード内のメモリの所定のアドレスからファイル名を読み出すよう、一つの通信手段を制御し、当該情報処理装置は、前記通信制御手段によって前記ファイル名が読み出されたときに、該ファイル名を指定して前記ファイラを起動し該ファイル名が示すファイルにアクセスすることを特徴としたものである。
【００１６】
第８の技術手段は、第７の技術手段において、当該情報処理装置には複数のファイルを記憶した１又は複数台のサーバ装置がアクセス可能に接続されており、前記通信制御手段は、前記複数の通信手段に応じた異なる種類の情報の一つとして、前記非接触カード内のメモリの所定のアドレスからサーバ装置を特定するための特定情報を読み出すよう、一つの通信手段を制御し、当該情報処理装置は、前記通信制御手段によって前記特定情報が読み出されたときに、該特定情報でサーバ装置を指定して前記ファイラを起動し、該サーバ装置に記憶されたファイルの一覧を表示することを特徴としたものである。
【００１７】
第９の技術手段は、第１〜第３のいずれかの技術手段において、当該情報処理装置には１又は複数台の画像処理装置が接続されており、前記通信制御手段は、前記複数の通信手段に応じた異なる種類の情報の一つとして、前記非接触カード内のメモリの所定のアドレスから画像処理装置を特定するための特定情報を読み出すよう、一つの通信手段を制御し、当該情報処理装置は、前記通信制御手段によって前記特定情報が読み出されたときに、該特定情報で特定される画像処理装置に対して所定の画像処理を実行するよう制御することを特徴としたものである。
【００１８】
第１０の技術手段は、第１〜第３のいずれかの技術手段において、複数の情報が読み出し可能な状態で格納されており、前記通信制御手段は、前記他の情報として、前記複数の通信手段に応じて異なる情報を、前記非接触カード内のメモリに書き込むよう制御することを特徴としたものである。
【００１９】
第１１の技術手段は、第１〜第３のいずれかの技術手段において、複数のファイルが読み出し可能な状態で格納されており、前記通信制御手段は、前記複数の通信手段に応じた異なる種類の情報の一つとして、前記非接触カード内のメモリに所定のファイルを書き込むよう、一つの通信手段を制御することを特徴としたものである。
【００２０】
第１２の技術手段は、第１〜第３のいずれかの技術手段において、アプリケーションの一つとして電子メールのメーラが実行可能に組み込まれており、前記通信制御手段は、前記複数の通信手段に応じた異なる種類の情報の一つとして、前記非接触カード内のメモリの所定のアドレスから電子メールアドレスを読み出すよう、一つの通信手段を制御し、当該情報処理装置は、前記通信制御手段によって前記電子メールアドレスが読み出されたときに、前記メーラを起動し宛先として該電子メールアドレスを設定する、若しくは前記メーラを起動し前記電子メールアドレスを宛先として所定の情報を送信することを特徴としたものである。
【００２１】
第１３の技術手段は、第１〜第３のいずれかの技術手段において、アプリケーションの一つとして、当該情報処理装置を電子会議システムの端末として機能させるための電子会議用アプリケーションが実行可能に組み込まれており、前記通信制御手段は、前記複数の通信手段に応じた異なる種類の情報の一つとして、前記非接触カード内のメモリの所定のアドレスから、前記電子会議システムにログインする際に必要なログイン情報と接続先を示す接続先情報とを読み出すよう、一つの通信手段を制御し、当該情報処理装置は、前記通信制御手段によって前記ログイン情報及び接続先情報が読み出されたときに、前記電子会議用アプリケーションを起動し、前記接続先情報が示す接続先に接続することを特徴としたものである。
【００２２】
第１４の技術手段は、第１〜第３のいずれかの技術手段において、前記複数の通信手段のうち２以上の所定数の通信手段に対応させた共通のアプリケーションが実行可能に組み込まれており、前記所定数の通信手段に応じた異なる種類の情報は、前記共通のアプリケーションを実行する際に、各情報のうちいずれか１つが選択的に必要な選択情報であり、前記通信制御手段は、前記所定数の通信手段に応じた異なる種類の情報の一つとして、前記非接触カード内のメモリの所定のアドレスから前記選択情報を読み出すよう、前記所定数の通信手段の一つを制御し、当該情報処理装置は、前記通信制御手段によって前記選択情報が読み出されたときに、前記共通のアプリケーションに該選択情報を渡すことを特徴としたものである。
【００２３】
第１５の技術手段は、第１４の技術手段において、前記通信制御手段は、前記選択情報に加え、前記共通のアプリケーションを実行する際に必要な共通の情報を読み出すよう、前記所定数の通信手段の一つを制御し、当該情報処理装置は、前記通信制御手段によって前記共通の情報及び／又は前記選択情報が読み出されたときに、前記共通のアプリケーションを起動することを特徴としたものである。
【発明の効果】
【００２４】
本発明に係る情報処理装置によれば、操作者であるユーザの認証と所定の情報の入力を必要とする処理を、一度の操作で容易に実行させることが可能となり、結果としてユーザ操作性を向上させることが可能となる。
【発明を実施するための最良の形態】
【００２５】
図１は、本発明の一実施形態に係る情報処理装置の一例を示す外観図である。図１で例示する情報処理装置は、表示装置１０と、表示装置１０に接続されたＰＣ等の制御装置（図示せず）とを備えた、主として会議などでの利用に好適な情報表示システム（以下、単に「表示システム」という）である。
【００２６】
ここで例示する表示装置１０は、その画像データを表示する薄型且つ大型のＬＣＤ（Liquid Crystal Display）パネル等の表示手段１１に加え、表示手段１１の画面の前面側に設けられ、表示手段１１で表示された情報に対する操作を行うためのタッチパネル１２を備えている。タッチパネル１２は、タッチペンや指などによりタッチされた位置の座標を入力する装置であり、制御装置にその操作信号（座標を示す信号等）を送るよう構成しておくとよい。タッチパネル１２は、ＬＥＤ（Light Emitting Diode）アレイとフォトトランジスタアレイを表示手段１１のフレームに設けておき、遮られた光を検出するなど、様々な構成及び座標検出方式が採用できる。なお、本発明に係る情報処理装置はこの表示手段１１に相当する表示装置を備えていればよく、タッチパネル１２は具備しなくてもよい。
【００２７】
制御装置は、表示対象となる画像データを表示手段１１に送り、表示手段１１に表示させる制御も行う。また、この制御装置は、表示装置１０に内蔵しても外付けしてもよい。さらに、表示制御を行う表示制御手段を表示装置１０側に内蔵し他の制御を行う手段のみ外付けの制御装置側に設けるなど、制御装置と表示装置１０との間で処理機能を分散させるように設けてもよい。
【００２８】
この表示システムは、図１で例示するように、表示装置１０及び制御装置の他に、表示装置１０を支持するための台座（スタンド）２０と、台座２０に収納されたプリンタ４２及びスキャナ装置４１とを備えている。なお、台座２０はこの表示システムに設けなくてもよい。また、スキャナ装置４１やプリンタ４２は後述する画像処理装置の例であり、当然、このような機器（デバイス）を具備しないシステム構成としてもよい。
【００２９】
表示装置１０を支持する台座２０は、左右一対の脚部２１と、基台２２と、基台キャスター（移動用車輪）２３とを備えている。一対の脚部２１は、基台２２と表示装置１０とを連結するために設けられたものである。基台キャスター（移動用車輪）２３は、表示装置１０を含む表示システム全体の移動を容易にするために、基台２２の底部に設けられたものである。
【００３０】
プリンタ４２は、基台２２上であって一対の脚部２１の間に載置している。また、制御装置を外付けする場合には、例えばプリンタ４２の後方に設置するなどしてもよい。ここでは、表示装置１０の表示画面が視認できる面を表示装置１０の前面側とする。そして表示画面に向かって手前側を本表示システムの前側とし、表示装置１０の背面側を本表示システムの後方とする。
【００３１】
また、台座２０は、図示しない機構により基台２２のプリンタ搭載部分が基台２２に対して前後にスライド可能としておくことが好ましい。プリンタ４２のトナーカートリッジの交換等のメンテナンス時にはこのプリンタ搭載部分を手前に引き出せばよい。このような構成により、台座２０のスペースを有効に利用することができ、表示装置１０の前でプレゼンテーションや会議進行などを行う利用者は、プリンタ４２が邪魔にならずに表示システムを利用することができる。
【００３２】
スキャナ装置４１は、プリンタ４２の上方の脚部２１の内側空間に取り付けられている。スキャナ装置４１は、さらに図示しないレール機構などにより、前方にスライドして引き出し可能に構成されている。また、スキャナ装置４１は、その前面側に、シート状の原稿を挿入して内部に導入するための挿入口と、画像を読み取った後の原稿を排出するための排出口とを構成する２つの開口部を設けておくとよい。挿入口にシート状の原稿を挿入することにより、スキャナ装置４１の給紙搬送機構によって原稿が搬送され、ＣＣＤ（Charge Coupled Device）センサなどによる画像読み取り装置に送られる。そして画像読み取り装置によって画像が読み取られた原稿は、排出ローラにより搬送され、排出口から排出される。
【００３３】
このような構成により、ユーザは、スキャナ装置４１を台座２０の脚部２１の間に収納したままの状態で、スキャナ装置４１の前面側からシート上の原稿の給紙と排出とを行うことができる。また、ブック原稿の画像読み取りやメンテナンスを行う場合には、スキャナ装置４１を前方に引き出してこれらの処理を行うことができる。
【００３４】
また、大型の表示装置１０を支持する台座２０の表示装置１０の下方にスキャナ装置４１やプリンタ４２などのデバイスを収納することにより、表示システムの重心を下方に位置させることができ、これにより表示システムの加重バランスを安定させて、表示システムの転倒防止を図ることができる。このとき、複数のデバイスのうち、他のデバイスより重量の重い電子機器を下方に設けるようにすることが好ましい。
【００３５】
図２は、図１の表示システムの一構成例を示すブロック図で、ここでは図１において台座２０、スキャナ装置４１、プリンタ４２、及びタッチパネル１２を除いた部分の構成例を示している。
【００３６】
図２で例示する表示システムでは、上述の制御装置が、メモリ１３、ＬＣＤコントローラ１４、ＣＰＵ（Central Processing Unit）１５、ハードディスクドライブ（ＨＤＤ）１６、アンテナ群３０、セレクタ３１、及び通信ユニット３２により構成されるものとして説明する。なお、タッチパネル１２はＣＰＵ１５に接続しておくことで、ＣＰＵ１５でその操作信号（座標を示す信号等）が得られる。また、スキャナ装置４１やプリンタ４２は、例えばＣＰＵ１５に接続された外部機器接続インターフェース（Ｉ／Ｆ）に接続しておくことで、ＣＰＵ１５から画像読み取り命令や印刷命令をかけることも、読み取った画像を取得することもできる。
【００３７】
ＣＰＵ１５は、表示装置１０の全体の制御を行う。メモリ１３、ＨＤＤ１６は、オペレーションシステム（ＯＳ）を含むプログラムと、そのプログラムで読み出し可能なデータとを記憶する。メモリ１３は、例えばＯＳを記憶したＲＯＭ（Read Only Memory）とプログラムの実行領域（作業領域）としてのＲＡＭ（Random Access Memory）とで構成するとよく、ＨＤＤ１６はそれ以外のプログラムやデータを格納しておくとよい。
【００３８】
以下、表示手段１１としてＬＣＤパネルを挙げて説明する。但し、表示手段１１としては、ＬＣＤの他に、プラズマディスプレイ（Plasma Display Panel）、電界放出ディスプレイ（Field Emission Display）、表面伝導型電子放出素子ディスプレイ（Surface-conduction Electron-emitter Display）、有機ＥＬディスプレイ（Organic Electroluminescence Display）等の表示手段を適用することができる。ＬＣＤパネル１１は、ＬＣＤコントローラ１４で制御され、画像表示を行う。ＬＣＤコントローラ１４は、ＣＰＵ１５に制御されてＬＣＤパネル１１の表示を制御する。
【００３９】
アンテナ群３０、セレクタ３１、及び通信ユニット３２は、本発明の主たる特徴の一つとして、非接触カードを用いた操作が可能なよう組み込まれた操作手段の一例である。なお、この表示システムでは、タッチパネル１２で例示したように他の操作装置を具備しておき、それを用いた操作も可能としてもよい。例えば、キーボード、マウスなどの操作装置を具備してもよい。但し、後述する認証処理を必要とする操作は、非接触カードを用いてこの操作手段でなされるよう構成することで、ユーザ操作性が良いという本発明の利点を生かすことができる。
【００４０】
アンテナ群３０は、９つのアンテナ３０ａ，３０ｂ，３０ｃ，・・・でなり、非接触カードに記録された識別情報を非接触で読み取る複数の通信手段の一例である。各通信手段は、識別情報の読み取りだけでなく非接触カードと無線通信を行うために配設されている。以下、これらのアンテナ３０ａ，・・・のうち不特定のアンテナを指すときは符号３０ｎを使用する。各アンテナ３０ｎがそれぞれ一つの通信手段の一例に該当する。そして、９つのアンテナ３０ｎは、表示装置１０の表示画面（この例ではＬＣＤパネル１１の表示画面）の背後（背面）の所定の位置に配設されているものとする。ここで、表示画面の背後とは、最前面に設けた透明パネルの背後やその透明パネル内部も含むものとする。
【００４１】
図２では、Ｎｏ.１〜９の９つのアンテナ３０ｎが、ＬＣＤパネル１１の左側にマトリクス状に配設された例を示している。ここで、９つのアンテナ３０ｎは、正当な位置（後述の近接位置）のいずれかに非接触カードを近づけたときに、２以上のアンテナ３０ｎでそれを検知（検出）することがないような位置に配置する。勿論、アンテナ群３０に含まれるアンテナ３０ｎの数は９個に限らず、その配置もマトリクス状に限ったものではない。
【００４２】
さらに、上述の制御装置には、ＬＣＤパネル１１の表示画面に、アンテナ群３０のそれぞれのアンテナ３０ｎに対して、非接触カードを近接させる近接位置を示す位置表示を行う表示制御手段が設けられている。この表示制御手段は、主としてＣＰＵ１５及びＬＣＤコントローラ１４で例示でき、位置表示のための画像は例えばＨＤＤ１６等に格納しておきＣＰＵ１５で読み出せばよい。この近接位置を示す位置表示は、ユーザに近接位置を指示（或いはガイダンス）できればよく、アイコン表示により実行してもよいし、背景画像の一部として表示させてもよい。いずれを採用した場合でも、位置表示を、対応するアンテナ３０ｎで非接触カードと通信する情報に関する内容を表すものとすることで、ユーザがどの近接位置に非接触カードを近接させるかをその内容を見ながら選ぶことができる。以下、近接位置はアイコン表示により実行するものとして説明する。
【００４３】
図２では、アイコン５０ａ，５０ｂ，５０ｃ，・・・はＬＣＤパネル１１上に、裏側のアンテナ３０ａ，３０ｂ，３０ｃ，・・・の位置と一致するように表示される。より具体的には、アイコン５０ａがアンテナ３０ａの位置（アンテナ３０ａの設置座標）に対応したアイコン座標（ｘ１，ｙ１）に、アイコン５０ｂがアンテナ３０ｂの位置に対応したアイコン座標（ｘ２，ｙ２）に、アイコン５０ｃがアンテナ３０ｃの位置に対応したアイコン座標（ｘ３，ｙ３）に、といった具合に表示される。なお、アイコン座標は各アイコンの表示位置を示す座標を示している。
【００４４】
これらのアイコン５０ａ，・・・のうち不特定のアイコンを指すときは符号５０ｎを使用し、以下の説明を行う。図２では、Ｎｏ.１〜９の９つのアンテナ３０ｎに対応して、ＬＣＤパネル１１の画面にはアイコン座標（ｘｎ，ｙｎ）で示される９つのアイコン５０ｎが表示されている。
【００４５】
さらに、上述の制御装置には、複数のアンテナ３０ｎを制御する通信制御手段が設けられている。この通信制御手段は、複数のアンテナ３０ｎのいずれかに非接触カードが近接されたときに、その非接触カードからの識別情報の読み取りと、その非接触カードとの間の通信であって識別情報とは異なる他の情報（他情報と呼ぶ）の通信とを行うよう、その非接触カードが近接されたアンテナ３０ｎを制御する。ここで、他情報の通信とは、他情報を非接触カードから読み取るための通信、及び／又は、他情報を非接触カードに書き込みを行うための通信を指す。
【００４６】
そして、この通信制御手段は、他情報として、アンテナ３０ｎに応じた異なる種類の情報の通信を行うよう制御する。セレクタ３１、通信ユニット３２、ＣＰＵ１５は、この通信制御手段の一例である。セレクタ３１は、複数のアンテナ３０ｎからの入出力を時分割で切り替えて、１つの通信ユニット３２に複数のアンテナ３０ｎを接続する。通信ユニット３２は、アンテナ３０ｎを介して非接触カードとの通信を行う。さらに、通信ユニット３２はＣＰＵ１５に接続されており、ＣＰＵ１５に識別情報や他情報を渡すことや、ＣＰＵ１５経由で他情報を受け取ることが可能となっている。
【００４７】
次に、本発明において操作に用いる非接触カードについて説明する。図３は、図２における操作手段に対して操作可能な非接触カードの一構成例を示すブロック図である。非接触カード６０は、非接触方式の電子カードであり、ＩＣ（Integrated Circuit）カードが例示できる。
【００４８】
図３で例示する非接触カード６０は、アンテナ６１、ＣＰＵ６２、及びメモリ６３を備える。カード側アンテナ６１は、アンテナ群３０のいずれかのアンテナと電磁波で通信を行う。カード側ＣＰＵ６２、カード側メモリ６３は、カード側アンテナ６１で受信した電磁波を供給電力として動作し、カード側メモリ６３に記憶された情報をアンテナ群３０のいずれかのアンテナに送信する。若しくは、アンテナ群３０からの情報をカード側メモリ６３に記憶するような処理を実行してもよい。この情報の一つとして識別情報６３ａがカード側メモリ６３に記憶されている。識別情報６３ａは、非接触カード６０を所持するユーザに対して一対一に付与されるＩＤ情報である。
【００４９】
また、カード側メモリ６３には、識別情報６３ａ以外の他情報として、情報６３ｂ〜６３ｇが記憶されているものとする。これらの情報６３ｂ〜６３ｇのいずれかが通信制御手段によって上述の他情報として非接触カード６０から読み取られることとなる。
【００５０】
さらに、上述の制御装置は、通信制御手段によって識別情報が読み取られたときに、その読み取られた識別情報を認証する認証手段を備えるものとする。認証用のデータ（認証情報と呼ぶ）を例えばメモリ１３又はＨＤＤ１６に格納しておき、ＣＰＵ１５が読み取られた識別情報との比較を行うとよい。そして、通信制御手段は、認証手段で認証が成功した場合のみ、他情報の通信を許可して非接触カードが近接されたアンテナ３０ｎを制御する。例えば、通信ユニット３２が、複数のアンテナ３０ｎのいずれかを介して識別情報が入力されると、ＣＰＵ１５にその識別情報を渡し、ＣＰＵ１５が特定の認証情報と一致するか否かを判定し、一致する場合にのみ非接触カード６０との通信を許可するよう制御する。一方、認証に失敗した場合、ＣＰＵ１５はその近接させた操作を無視するか、或いは認証が失敗して操作できない旨をＬＣＤパネル１１に表示させるなどしてもよい。
【００５１】
また、この認証手段は、識別情報の読み取りを行ったアンテナ３０ｎに依らず共通の認証方式を用いて認証処理を実行するものとする。すなわち、この認証手段における認証処理は、各通信手段（ここではアンテナ３０ｎ）に対して共通の手段で実行されることとなる。
【００５２】
なお、ここでは非接触カード６０がアンテナ３０ｎに近接したときに、アンテナ３０ｎからの電波に応じて識別情報を送信すること、或いはカード側アンテナ６１から自発的に識別情報を送信することを前提として説明しており、このような識別情報が読み取られたときをトリガとして認証を実行している。他の方法として例えば、非接触カード６０がアンテナ３０ｎに近接したときに、アンテナ３０ｎからの電波に応じて或いはカード側アンテナ６１から自発的に、通信要求又は非接触カード６０の種類などを発するよう構成しておけば、この通信要求又は種類の受信をトリガとして識別情報を読み出して認証を実行することもできる。
【００５３】
また、ＨＤＤ１６（又はメモリ１３）には、複数のアンテナ３０ｎのそれぞれに対応させた複数のアプリケーションが実行可能に組み込まれていることが好ましい。そして、複数のアンテナ３０ｎに応じた異なる種類の他情報は、各アンテナ３０ｎに対応したアプリケーションを実行する際に必要な情報（起動時に必要な情報又は起動した後に必要な情報）とする。つまり、通信制御手段は、他情報として、各アプリケーションのそれぞれに必要な情報を通信するよう制御することが好ましい。そして、近接位置を示すアイコンを、「対応するアンテナ３０ｎで非接触カード６０と通信する他情報」を用いるアプリケーションを示す内容（アプリケーション名等）を表すアイコンとすることで、ユーザがどの近接位置に近接させるか（すなわちどのアプリケーションを実行させるか）をその内容を見ながら選択することができる。
【００５４】
以上、説明したように、本発明に係る操作手段は、位置表示されている近接位置の背面の所定の位置に設置された、非接触カード６０に記録された識別情報を非接触で読み取る複数のアンテナ３０ｎを有し、各アンテナ３０ｎに対応して異なる種類の情報（他情報６３ｂ〜６３ｇのいずれかなど）を非接触カード６０と通信するよう、非接触カード６０が近接されたアンテナ３０ｎを制御している。
【００５５】
従って、本発明では、非接触カード６０を所定のアンテナ３０ｎにかざすだけで認証と、実行しようとする処理（例えば上述のアプリケーション）の指定操作（情報入力可能とするための所定の操作）と、非接触カード６０に記憶された複数の情報のうちの１つを選択的に入力する作業が同時に実行できるので、ユーザの作業が少なくて済む。すなわち、本発明に係る情報処理装置では、操作者であるユーザの認証と所定の情報の入力を必要とする処理を、一度の操作で容易に実行させることが可能となり、結果としてユーザ操作性を向上させることが可能となる。
【００５６】
図４は、図２のＨＤＤに格納された情報の一例を示す図である。また、図５は、図２の表示システムにおいて実行される処理の一例を説明するためのフロー図で、図６は、図５に続くフロー図である。図７は、図５及び図６の処理例において、初期表示プログラムが起動しているときの表示画面例を示す図である。
【００５７】
以下、この表示システム（情報処理装置）に、アプリケーション群として、ファイラ、ＷＥＢブラウザ、メーラ、プリンタドライバが組み込まれているものとして説明する。また、これらのアプリケーションを操作可能とするための初期画面を表示する初期画面プログラムも、ＨＤＤ１６（又はメモリ１３）にＣＰＵ１５で実行可能に組み込まれているものとする。なお、例えば１つのアプリケーションのみインストールされていてもよい。各アプリケーションに必要な情報とは、それぞれファイルの格納先、ＵＲＬ、電子メールアドレス、プリンタ名などとなる。
【００５８】
図３に例示したように、カード側メモリ６３には他情報として各情報６３ｂ〜６３ｇが記憶されている。ＵＲＬ６３ｂは、ＷＥＢブラウザに入力してＷＥＢページの表示に利用する。なお、ＵＲＬ６３ｂの代わりにＵＲＮ（Uniform Resource Name）を用いてもよく、所謂ＵＲＩを用いればよい。サーバ名６３ｃは、ファイラに入力してサーバ装置に保存されているファイル一覧を表示させるときに利用する。ファイル名６３ｄは、ファイラに入力してファイルを開くときに利用する。デバイス名６３ｅは、プリンタ４２やスキャナ装置４１等の周辺機器の名称であり、プリンタドライバやスキャナドライバを操作するときに指定するプリンタ名、スキャナ名を示す。Ｅメールアドレス６３ｆは、メーラに入力してＥメールの送信先を指定する。メーラに必要な情報として、このように送信先のＥメールアドレス６３ｆを格納しておき読み出すものとして説明するが、例えばメールサーバへアクセスする際の本人認証に必要なユーザＩＤ（又は送信元のＥメールアドレス）・パスワードを、代わりに或いは併せて格納しておき読み出すようにしてもよい。ユーザＩＤ・パスワード６３ｇは、ＷＥＢページを開く際に本人認証に必要な情報である。
【００５９】
図４に例示するように、ＨＤＤ１６（又はメモリ１３）には、ユーザ認証用にユーザ情報テーブル（利用者情報テーブル）１６ａが格納されていると共に、図３の他情報６０ｂ〜６３ｇに対応して初期画面表示テーブル１６ｂ、ファイラ動作時表示テーブル１６ｃ、及びＷＥＢブラウザ動作時表示テーブル１６ｄが格納されている。
【００６０】
ユーザ情報テーブル１６ａは、この表示システムを利用可能か否かの認証を行うために利用するＩＤ情報を格納したテーブルであり、このＩＤ情報は、上述の認証手段での認証情報に該当する。ユーザ情報テーブル１６ａには、例えばユーザＡに対するＩＤ情報Ａ、ユーザＢに対するＩＤ情報Ｂのように、ユーザ毎のＩＤ情報のリストを格納しておけばよい。ＩＤ情報を格納する対象のユーザは、例えばこの表示システムを所有する部署の所属員などとすればよい。
【００６１】
初期画面表示テーブル１６ｂは、各アプリケーションに対応したアイコンをＬＣＤパネル１１に表示するための初期表示プログラムで利用する。初期画面表示テーブル１６ｂとしては、起動アプリケーション名、及びそのアプリケーションで必要となる入力情報の名前、アンテナ番号、アイコン表示及びカード検知座標範囲が関連づけて記憶されている。
【００６２】
この初期表示プログラムは、ＣＰＵ１５によって読み出され実行されるが、そのときこの初期画面表示テーブル１６ｂを参照して、各アプリケーションのアイコンをアイコン表示及びカード検知座標範囲に表示する。また、図５及び図６でその流れを説明するが、アンテナ３０ｎに非接触カード６０が近接されたことを検知したときにどのアプリケーションを起動し、非接触カード６０のどの情報を読み出すかの選択の際にこの初期画面表示テーブル１６ｂを参照する。
【００６３】
なお、カード検知座標範囲とは、非接触カード６０をかざしてそれを検知できる範囲を指し、この例ではアイコンの表示範囲と同じとしている。例えば、Ｎｏ．１のアンテナ３０ａに対しては（Ｘ１ａ，Ｙ１ａ）−（Ｘ１ｂ，Ｙ１ｂ）などと規定されており、この範囲に従ってアイコンが表示されることとなる。なお、アイコン表示範囲には上述したアイコン座標（ｘ１，ｙ１）が含まれるものとし、アイコンは表示範囲を規定して表示させても、アイコン座標及びアイコンの大きさを規定して表示させてもよい。
【００６４】
ファイラ動作時表示テーブル１６ｃとしては、ファイラで必要となり非接触カード６０から入力する入力情報種別、アンテナ番号、アイコン表示及びカード検知座標範囲が関連づけて記憶されている。入力情報種別としては、サーバ名と、ファイル名（開くファイル名）と、ファイル名（非接触カード６０に転送するファイル名）とを例示している。ファイラ動作時表示テーブル１６ｃは、ファイラプログラムの起動時に参照され、アンテナの位置座標を参照して適切なアンテナの上にアイコン表示を行うために参照する。
【００６５】
ＷＥＢブラウザ動作時表示テーブル１６ｄとしては、ＷＥＢブラウザで必要となり非接触カード６０から入力する入力情報種別、アンテナ番号、アイコン表示及びカード検知座標範囲が関連づけて記憶されている。入力情報種別としては、ＵＲＬと、ユーザＩＤ及びパスワードとを例示している。ＷＥＢブラウザ動作時表示テーブル１６ｄは、ＷＥＢブラウザ起動時に参照される。
【００６６】
図５及び図６を参照して、図４のごとき情報を参照しながらこの表示システムで実行される処理について例示する。まず最初に、ＣＰＵ１５は、初期表示プログラムを起動する（ステップＳ１）。初期表示プログラムは、初期画面表示テーブル１６ｂを参照し、アイコン表示及びカード検知座標範囲に記載されている座標に対応するアプリケーションを示すアイコンを表示する。この表示は、ＣＰＵ１５がＬＣＤコントローラ１４を制御することで実行し、その結果として、ＬＣＤパネル１１上に図７で例示する表示画面５１のような初期画面が表示される。
【００６７】
表示画面５１には、ファイラを示すファイラアイコン５１ａ、ＷＥＢブラウザを示すＷＥＢブラウザアイコン５１ｂ、メーラを示すメーラアイコン５１ｃ、プリンタ（実際にはプリンタドライバが対応する）を示すプリンタアイコン５１ｄが、それぞれ上述したアイコン５０ａ〜５０ｄとして表示されている。すなわち、Ｎｏ．１のアンテナ３０ａの上にファイラアイコン５１ａが、Ｎｏ．２のアンテナ３０ｂの上にＷＥＢブラウザアイコン５１ｂが、Ｎｏ．３のアンテナ３０ｃの上にメーラアイコン５１ｃが、Ｎｏ．４のアンテナの上にプリンタアイコン５１ｄが、それぞれ重なるよう表示されている。
【００６８】
通信ユニット３２は、いずれかのアンテナ３０ｎで非接触カード６０からの電波が受信されるのを待つ（ステップＳ２）。いずれかのアンテナ３０ｎから電波を受信したとき、通信ユニット３２は非接触カード６０に記憶されている識別情報を読み出してＣＰＵ１５に渡す（ステップＳ３）。ＣＰＵ１５は、この識別情報が、ユーザ情報テーブル１６ａに記憶されているユーザ情報のいずれかと一致するか否かを判定することで、ユーザ認証を行う（ステップＳ４）。
【００６９】
ステップＳ４において、非接触カード６０に記憶されている識別情報がユーザ情報のいずれとも一致しなかった場合には、ＣＰＵ１５がＬＣＤコントローラ１４を制御し、ユーザ認証失敗としてエラー表示を行い（ステップＳ５）、次の受信を待つ（ステップＳ２）。
【００７０】
一方、ステップＳ４で一致したと判定された場合、ＣＰＵ１５は、非接触カード６０を検知したアンテナ３０ｎに応じて、初期画面表示テーブル１６ｂを参照し（ステップＳ６）、起動したアンテナに対応するアプリケーションが有るか否かを判定する（ステップＳ７）。ステップＳ７で対応するアプリケーションが無かった場合には、後述のステップＳ１１へ進む。
【００７１】
ステップＳ７で対応するアプリケーションが有った場合には、ＣＰＵ１５は、起動アプリケーション名を参照してアプリケーションを別プロセスとして起動する（ステップＳ８）。ここで、「別プロセス」とは、本フローとは別にタイムシェアリング並列処理として実行されるプロセスであることを示す。
【００７２】
ステップＳ８に続き、ＣＰＵ１５は、さらに初期画面表示テーブル１６ｂに記録されている入力情報名に基づいて、起動したアプリケーションに対応する非接触カード６０のカード側メモリ６３からサーバ名、ＵＲＬ、メールアドレス、プリンタ名のいずれかの他情報を読み出す（ステップＳ９）。そして、ＣＰＵ１５は、起動したアプリケーション（別プロセス）に読み出した情報を与え、当該情報に基づき処理を実行させる（ステップＳ１０）。
【００７３】
ステップＳ７でＮＯの場合、並びにステップＳ１０に続いて、ＣＰＵ１５は、非接触カード６０を検知した時点で既に起動しているアプリケーションが有るか否かを判定する（ステップＳ１１）。ステップＳ１１で既に起動中のアプリケーションが有ると判定された場合には、ＣＰＵ１５は、起動しているアプリケーションに対応する表示テーブル（ファイラ動作時表示テーブル１６ｃ又はＷＥＢブラウザ動作時表示テーブル１６ｄ）を参照して（ステップＳ１２）、非接触カード６０を検知したアンテナ３０ｎに対応して、読み出すべき情報が有るか否かを判定する（ステップＳ１３）。
【００７４】
ステップＳ１３で読み出すべき情報が有った場合には、非接触カード６０のカード側メモリ６３から情報を読み出して、起動したアプリケーション（別プロセス）に読み出した情報を与え、当該情報に基づき処理を行わせる（ステップＳ１４）。ステップＳ１１でＮＯの場合、並びにステップＳ１３でＮＯの場合には、ステップＳ２へ戻り電波の受信を待つ。
【００７５】
以下、図５及び図６で説明した非接触カード６０によるユーザ操作に対応する処理について、図８〜図１６を参照して具体的に説明する。
【００７６】
図８は、図７の表示画面例に続いて、ファイラアイコンに非接触カードを近接させるユーザ操作がなされるときの様子を示す図である。また、図９は、図８のユーザ操作がなされたときに表示される表示画面例を示す図で、ファイル名（開く）アイコンに非接触カードを近接させるユーザ操作がなされるときの様子を示す図でもある。また、図１０は、図９のユーザ操作がなされ、プレゼンファイルＢが開かれたときの画面の様子を示す図である。
【００７７】
図８〜図１０を参照して、ファイラ操作の一例を説明する。このファイラ操作の前提として、この表示システムには、複数のファイルが読み出し可能な状態で格納され、且つアプリケーションの一つとしてファイラが実行可能に組み込まれているものとする。ファイラとは、記憶装置の中を階層的に表示し、ファイルやフォルダを操作するためのアプリケーションである。ＨＤＤ１６に格納されているファイルを対象のファイルとしてもよいが、ここではこの表示システム（情報処理装置）に複数のファイルを記憶した１又は複数台のサーバ装置（図示せず）がアクセス可能にネットワーク接続されているものとして説明する。従って、ここで例示するファイラ操作は、サーバ装置を指定したファイラオープン指示操作となる。
【００７８】
サーバ装置を指定したファイラオープン指示操作に対応する処理は、セレクタ３１、通信ユニット３２、及びＣＰＵ１５等で例示した通信制御手段が次のような制御を行うことで実行できる。すなわち、通信制御手段が、複数のアンテナ３０ｎの一つ（ここではアンテナ３０ａ）に対応した種類の情報として、非接触カード６０内のカード側メモリ６３の所定のアドレスからサーバ装置を特定するための特定情報を読み出すよう、その一つのアンテナ３０ｎ（ここではアンテナ３０ａ）を制御する。ここで、特定情報とは、サーバ名で例示しているが、サーバのＵＲＩであってもよい。そして、この表示システム（情報処理装置）は、通信制御手段によって特定情報が読み出されたときに、そのサーバ名でサーバ装置を指定してファイラを起動し、そのサーバ装置に記憶されたファイルの一覧を表示する。このようにして、非接触カード６０から読み出したサーバ名に基づき情報処理装置に接続されたサーバ装置を特定する。
【００７９】
ユーザ操作から具体的に説明すると、まずユーザ、例えばプレゼンを行う発表者が、図８に示すように、自分の所有する非接触カードＡ（６０ａ）をファイラアイコン５１ａの上に重ねる。非接触カード６０には、発表者のＩＤ情報と、プレゼン用ファイルが格納されているサーバ装置のサーバ名が記憶されているものとする。この重ねる操作により、ファイラアイコン５１ａの下のアンテナ３０ａで識別情報を読み取り、認証が成功すると、初期画面表示テーブル１６ｂを参照してファイラを起動して、非接触カード６０に記憶されているサーバ名をファイラに入力する。そして、ファイラは、図９で例示する表示画面５２のように、サーバ名に基づいてそのサーバ装置に記憶されているファイル（この例ではプレゼンファイルＡ〜Ｃ）の一覧５２ｂを、ファイラ画面として表示する。
【００８０】
ファイラ起動時にはファイラ動作時表示テーブル１６ｃが参照され、これによりファイラ画面として、表示画面５２で例示したように一覧５２ｂの表示だけでなく、ファイラで指示可能な操作を示すアイコン５２ａが表示されている。このアイコン５２ａは、ファイルオープン指示が可能なファイル名（開く）アイコンと、ファイルのデータ転送指示が可能なデータ転送アイコンとでなる。そして、ファイル名（開く）アイコンはアンテナ３０ｅの位置表示アイコンとして、データ転送アイコンはアンテナ３０ｆの位置表示アイコンとして、表示されている。
【００８１】
このような表示状態で、図９に例示するように、発表者が非接触カードＡ（６０ａ）をファイル名（開く）アイコンに重ねる。このような操作により、ファイラ動作時表示テーブル１６ｃを参照し、Ｎｏ．５のアンテナ３０ｅで非接触カードＡ（６０ａ）に記憶されているファイル名を読み出し、ファイルを開く。例えば、非接触カードＡ（６０ａ）にファイル名として「プレゼンファイルＢ」が記憶されていると、図１０の表示画面５３で例示するようにそのプレゼンファイルＢ（５３ａ）を開く。なお、非接触カードＡ（６０ａ）をファイル名（開く）アイコンに重ねたときにも、別のユーザが操作している可能性があるため、再度ユーザ認証を実行することが好ましい。なお、データ転送アイコンに対するデータ転送操作については後述する。
【００８２】
このように、通信制御手段は、複数のアンテナ３０ｎの特定の一つ（ここではアンテナ３０ｅ）に対応した種類の情報として、非接触カード６０内のカード側メモリ６３の所定のアドレスからファイル名を読み出すよう、その一つのアンテナ３０ｅを制御するとよい。そして、情報処理装置は、通信制御手段によってファイル名が読み出されたときに、そのファイル名を指定してファイラを起動しそのファイル名が示すファイルにアクセスするとよい。このように、非接触カード６０から読み出したファイル名に基づき情報処理装置に接続されたサーバ装置の記憶装置からそのファイルにアクセスするが、カード側メモリ６３にファイル名としてディレクトリ名から指定するように記憶させておいてもよいし、ファイル名だけであってもファイラで検索することができる。
【００８３】
また、一覧を表示するのではなく、サーバ名及びファイル名を一連のファイル指定場所として非接触カード６０のカード側メモリ６３から読み出し、そのままそのファイルにアクセスして開くようにしてもよい。
【００８４】
また、対象となるファイルがＨＤＤ１６に格納されているものである場合にはサーバ名の指定は必要なく、通信制御手段が、複数のアンテナ３０ｎの特定の一つに対応した種類の情報として、カード側メモリ６３の所定のアドレスからファイル名を読み出すよう、その一つのアンテナ３０ｎを制御すればよい。そして、情報処理装置が、通信制御手段によってファイル名が読み出されたときに、そのファイル名を指定してファイラを起動しそのファイル名が示すファイルにアクセスすればよい。
【００８５】
図１１は、図１０の画面で開かれているプレゼンファイルＢを印刷するために、プリンタアイコンに非接触カードを近接させるユーザ操作がなされるときの様子を示す図である。図１１を参照して、印刷操作の一例を説明する。
【００８６】
この印刷操作の前提として、この表示システム（情報処理装置）にはプリンタ４２（で例示するように、１又は複数台の画像形成装置が接続されているものとする。そして、通信制御手段は、複数のアンテナ３０ｎの一つ（ここではアンテナ３０ｄ）に対応した種類の情報として、カード側メモリ６３の所定のアドレスから画像形成装置を特定するための特定情報を読み出すよう、その一つのアンテナ３０ｄを制御するものとする。ここで、特定情報とは、画像形成装置名で例示しているが、画像形成装置のＵＲＩであってもよい。さらに、情報処理装置は、通信制御手段によって特定情報が読み出されたときに、その特定情報で特定される画像形成装置に対して所定の画像処理（ここでは印刷処理）を実行するよう制御する。このようにして、非接触カード６０から読み出した画像形成装置名に基づき情報処理装置に接続された画像形成装置を特定し、所定の画像処理を実行するよう制御する。実際、ユーザによって印刷用紙を出力したいプリンタは異なるため、このような処理によりユーザが望むプリンタへの印刷処理が可能となる。
【００８７】
ユーザ操作（印刷指示操作）から具体的に説明する。ここでは、図１０に例示したように、プレゼンファイルＢがプレゼンテーションソフトで開かれた状態で、このプレゼンファイルＢを印刷する操作を説明する。まず、発表者がプレゼンファイルＢを開いた状態で、図１１に例示するように、表示画面５３上のプリンタアイコン５１ｄに非接触カードＡ（６０ａ）を近接させる。このような操作により、プリンタアイコン５１ｄの裏側のＮｏ．４のアンテナ３０ｄで非接触カードＡ（６０ａ）の近接を検出して、初期画面表示テーブル１６ｂを参照して非接触カードＡ（６０ａ）からプリンタ名を読み出し、該当するプリンタを指定して、プレゼンファイルのデータを印字データに変換してそのプリンタに送信し、印刷を行う。なお、非接触カードＡ（６０ａ）をプリンタアイコン５１ｄに重ねたときにも、別のユーザが操作している可能性があるため、再度ユーザ認証を実行することが好ましい。
【００８８】
なお、対象ファイルのオープンや選択は非接触カード６０以外での操作（タッチパネル１２等）でも可能である。また、対象のファイルが開かれていない場合や選択されていない場合には、カード側メモリ６３に画像形成装置名と共に対象のファイル名を記憶させておき、同時に読み出すことで、ファイルを指定した印刷処理も実行できる。また、画像形成装置以外にも他種の画像処理装置を操作対象としてもよく、例えばスキャナ装置４１が指定された場合には所定の画像処理として画像の読み込みがなされる。そして、後述するデータ転送による書き込み処理を後に実行させることで、その読み込まれた画像を非接触カード６０に書き込むこともでき、次に説明する電子メール送信や外部へのファイル転送などを後に実行させることで、その読み込まれた画像のファイルを外部に送信することもできる。
【００８９】
図１２は、図１０の画面で開かれているプレゼンファイルＢを電子メールで送信するために、メーラアイコンに非接触カードを近接させるユーザ操作がなされるときの様子を示す図である。図１２を参照して、メール送信操作の一例を説明する。
【００９０】
このメール送信操作の前提として、この表示システム（情報処理装置）には、アプリケーションの一つとして電子メールのメーラが実行可能に組み込まれ、メールサーバ等とネットワーク接続するためのネットワークアダプタ等のネットワークＩ／Ｆが具備されているものとする。そして、通信制御手段は、複数のアンテナ３０ｎの一つ（ここではアンテナ３０ｃ）に対応した種類の情報として、カード側メモリ６３の所定のアドレスから電子メールアドレスを読み出すよう、その一つのアンテナ３０ｃを制御する。さらに、情報処理装置は、通信制御手段によって電子メールアドレスが読み出されたときに、メーラを起動し宛先としてその電子メールアドレスを設定する、若しくはメーラを起動し電子メールアドレスを宛先として所定の情報を送信するものとする。このようにして、非接触カード６０から読み出したＥメールアドレスに指定される宛先に情報を送信するか、宛先を設定する。
【００９１】
ユーザ操作（電子メール送信操作）から具体的に説明する。この操作は、メールアドレス指定及びメール添付によるファイル転送指示操作である。ここでは、図１０に例示したように、プレゼンファイルＢがプレゼンテーションソフトで開かれた状態で、このプレゼンファイルＢを電子メール送信する操作を説明する。
【００９２】
まず、プレゼンを受講した参加者がプレゼンファイルＢのデータ自体を受け取りたいときを想定する。そのようなときは参加者が、図１２に例示するように、自身の所有する非接触カードＢ（６０ｂ）をメーラアイコン５１ｃに近接させる。このような操作により、初期画面表示テーブル１６ａを参照しメーラアイコン５１ｃの裏側のＮｏ．３のアンテナ３０ｃで非接触カードＢ（６０ｂ）に記憶された電子メールアドレスを読み出して、該当するアドレスにプレゼンファイルＢを添付して送信する。なお、非接触カードＢ（６０ｂ）をメーラアイコン５１ｃに重ねたときにも、権限のない別のユーザが操作している可能性があるため、再度ユーザ認証を実行することが好ましい。
【００９３】
なお、対象のファイルが開かれていない場合や選択されていない場合には、カード側メモリ６３に電子メールアドレスと共に対象のファイル名を記憶させておき、同時に読み出すことで、ファイルを指定した電子メール送信処理も実行できる。また、非接触カード６０に電子メールアドレスの代わりにＵＲＩを記憶させておき、電子メール送信の代わりにＦＴＰ（File Transfer Protocol）等によって外部にファイル転送するよう構成してもよい。
【００９４】
図１３は、図１０の画面で開かれているプレゼンファイルＢを非接触カード６０にデータ転送するために、データ転送アイコンに非接触カード６０を近接させるユーザ操作がなされるときの様子を示す図である。図１３を参照して、データ転送操作の一例を説明する。
【００９５】
このデータ転送操作の前提として、複数のファイルが読み出し可能な状態でサーバ装置やＨＤＤ１６に格納されているものとする。そして、通信制御手段は、複数のアンテナ３０ｎの一つ（ここではアンテナ３０ｆ）に対応した種類の情報として、非接触カード６０内のカード側メモリ６３に所定のファイルを書き込むよう、その一つのアンテナ３０ｆを制御する。このようにして、非接触カード６０へ所定のファイルを記憶させることができる。
【００９６】
ユーザ操作（データ転送操作）から具体的に説明する。ここでも、図１０に例示したように、プレゼンファイルＢがプレゼンテーションソフトで開かれた状態で、このプレゼンファイルＢをデータ転送する操作を説明する。
【００９７】
まず、プレゼンを受講した参加者がプレゼンファイルＢのデータ自体を、自身の持つ非接触カードＢ（６０ｂ）で受け取りたいときを想定する。そのようなときは参加者が、図１３に例示するように、自身の所有する非接触カードＢ（６０ｂ）をファイラのデータ転送アイコンに近接させる。このような操作により、ファイラ動作時表示テーブル１６ｃを参照し、データ転送アイコンの裏側のＮｏ．６のアンテナ３０ｆを介して非接触カードＢ（６０ｂ）にファイルのデータを送信する。なお、この例におけるファイラ動作時表示テーブル１６ｃは、図４で示したものと異なり、「カードに転送」動作に対する「入力情報種別」として、例えば「書き込むカード側メモリ６３のアドレス」などを指定しておけばよい。非接触カードＢ（６０ｂ）は、送信されてきたファイルデータを受信して、カード側メモリ６３に記憶する処理を行えばよい。なお、非接触カードＢ（６０ｂ）をデータ転送アイコンに重ねたときにも、権限のない別のユーザが操作している可能性があるため、再度ユーザ認証を実行することが好ましい。
【００９８】
また、非接触カード６０へのデータ転送は、非接触カード６０に予め対象となるファイルのファイル名が記録されている場合にも実行できる。例えば、図９の表示画面５２において発表者が非接触カードＡ（６０ａ）をデータ転送アイコンに重ねた場合、図４のファイラ動作時表示テーブル１６ｃを参照し、非接触カードＡ（６０ａ）からファイル名「プレゼンファイルＢ」を読み出し、対応するプレゼンファイルＢにアクセスしてそのプレゼンファイルＢを非接触カードＡ（６０ａ）のカード側メモリ６３へ転送する。このカード側メモリ６３の書き込みアドレスは、ファイル名と同様に指定しておいてもよいし、任意の空いているアドレスであってもよい。これにより、非接触カードＡ（６０ａ）にプレゼンファイルＢが書き込まれる。この場合、通信制御手段は、複数のアンテナ３０ｎの一つ（ここではアンテナ３０ｆ）に対応した種類の情報として、非接触カード６０内のカード側メモリ６３の所定のアドレスからファイル名を読み出し、且つカード側メモリ６３の他の所定アドレスにそのファイルを書き込むよう、その一つのアンテナ３０ｆを制御することとなる。
【００９９】
また、対象のファイルの選択がされていなくても、次のような構成を採用すればよい。情報処理装置に、複数の情報（勿論ファイルであってもよい）が読み出し可能な状態で格納されていることを前提とする。そして、通信制御手段は、他情報として、複数のアンテナ３０ｎに応じて異なる情報を、非接触カード６０内のカード側メモリ６３に書き込むよう制御する。これにより、所定のアンテナ３０ｎに非接触カード６０が近接されると、アンテナ３０ｎに対応する情報（アンテナ３０ｎによって異なる所定の情報）が非接触カード６０に記憶されるように、送信（データ転送）を行うことができる。このときアンテナ３０ｎの位置表示アイコンを記録対象の情報の内容を表すものとしておけば、ユーザが非接触カード６０に記憶させたい情報（ファイル）を容易に選択できる。
【０１００】
図１４は、図７の表示画面例に続いて、ＷＥＢブラウザアイコンに非接触カード６０を近接させるユーザ操作がなされるときの様子を示す図である。また、図１５は、図１４のユーザ操作がなされたときに表示される表示画面例を示す図で、ユーザＩＤ・パスワードアイコンに非接触カード６０を近接させるユーザ操作がなされるときの様子を示す図でもある。また、図１６は、図１５のユーザ操作がなされ、ＷＥＢページが開かれたときの画面の様子を示す図である。図１４〜図１６を参照して、ＷＥＢぺージ閲覧操作の一例を説明する。
【０１０１】
このＷＥＢページ閲覧操作の前提として、情報処理装置には、アプリケーションの一つとしてＷＥＢブラウザが実行可能に組み込まれ、インターネット等の広域ネットワークに接続しＷＥＢサーバ等と接続するためのネットワークアダプタ等のネットワークＩ／Ｆが具備されているものとする。そして、通信制御手段は、複数のアンテナ３０ｎの一つ（ここではアンテナ３０ｂ）に対応した種類の情報として、カード側メモリ６３の所定のアドレスからＵＲＬを読み出すよう、その一つのアンテナ３０ｂを制御するものとする。なお、上述したようにＵＲＬ以外にＵＲＮであってもよい（すなわちＵＲＩでよい）。さらに、情報処理装置は、通信制御手段によってＵＲＬが読み出されたときに、そのＵＲＬを指定してＷＥＢブラウザを起動するものとする。このようにして、非接触カード６０から読み出したＵＲＬ基づきＷＥＢブラウザの制御を行うことができる。
【０１０２】
ユーザ操作（ＷＥＢページ閲覧操作）から具体的に説明する。この操作は、ＵＲＬ指定によるＷＥＢブラウザオープン指示操作である。まず、ユーザは、図１４に示す表示画面５１において、ＷＥＢブラウザアイコン５１ｂに自身の持つ非接触カードＡ（６０ａ）を近接させる。このような操作により、初期画面表示テーブル１６ａを参照し非接触カードＡ（６０ａ）に記憶されたＵＲＬを読み出して、ＷＥＢブラウザにそのＵＲＬを与えてＷＥＢブラウザを開く。なお、非接触カードＡ（６０ａ）をＷＥＢブラウザアイコン５１ｂに重ねたときには、ファイラ５１ａに対する処理と同様に、通常、ユーザ認証を実行するとよい。
【０１０３】
そして、ＷＥＢブラウザは、図１５で例示するように、ＵＲＬが示すＷＥＢページを表示する前に、ＷＥＢブラウザ動作時表示テーブル１６ｄを参照し、その表示を実行させるためのユーザ認証画面５４ｂを表示する。ここで開かれたユーザ認証画面５４ｂは、ユーザＩＤとパスワードの入力を求める画面である。勿論、そのＵＲＬが示すＷＥＢページがユーザ認証を必要としないページである場合には、この時点で、図１６に示すようなＷＥＢページ５５ａが開かれることとなる。
【０１０４】
ここでは、図１５に例示したようにこのＷＥＢページがユーザ認証を必要とする場合について説明する。図１５で例示する表示画面５４には、ＷＥＢ画面として、ユーザ認証画面５４ｂと共に、ユーザ認証用アイコンがアイコン領域５４ａに表示されている。そして、このユーザ認証用アイコン（ユーザＩＤ・パスワードアイコン）はアンテナ３０ｅの位置表示アイコンとして表示されている。
【０１０５】
このユーザＩＤ・パスワードアイコンによる、ユーザＩＤとパスワードの指示操作について具体的に説明する。まず、ユーザは、図１５に示す表示画面５４において、ユーザＩＤ・パスワードアイコンに自身の持つ非接触カードＡ（６０ａ）を近接させる。このような操作により、ＷＥＢブラウザ動作時表示テーブル１６ｄを参照し、Ｎｏ．５のアンテナ３０ｅで非接触カードＡ（６０ａ）に記憶されているユーザＩＤ及びパスワードを読み出してＷＥＢブラウザに送り、図１６のＷＥＢページ５５ａのようにそのＷＥＢページを開く。なお、非接触カードＡ（６０ａ）をユーザＩＤ・パスワードアイコンに重ねたときにも、この表示システムの使用権限がない別のユーザが操作している可能性があるため、再度ユーザ認証を実行することが好ましい。
【０１０６】
このように、通信制御手段は、ＵＲＬを指定した後に、複数のアンテナ３０ｎの一つ（ここではアンテナ３０ｅ）に対応した種類の情報として、非接触カード６０内のカード側メモリ６３の所定のアドレスから、ユーザ識別情報を読み出すよう、その一つのアンテナ３０ｅを制御するとよい。ここで、ＷＥＢブラウザは、ＵＲＬで示されるＷＥＢページの閲覧に際しユーザを識別するためのユーザ識別情報を必要とすることを前提とする。そして、情報処理装置は、通信制御手段によってユーザ識別情報が読み出されたときに、そのＵＲＬで示されるＷＥＢページにそのユーザ識別情報を与える。このようにして、非接触カード６０から読み出された（ユーザのＩＤ、パスワード等の）ユーザ識別情報をＷＥＢページに与え、そのＷＥＢページを閲覧可能とすることができる。
【０１０７】
なお、ここで、ユーザＩＤ・パスワードアイコンを、図９で示したファイル名（開く）アイコンと同じ位置に表示させ、同じアンテナ３０ｅに対する処理を実行するとして説明している。この点について補足すると、同じアンテナ３０ｅに非接触カード６０が近接された場合にも、図６のステップＳ１２，Ｓ１３で説明したように、ＣＰＵ１５が、現在、どのアプリケーションが起動中であるかを判定し、対応する表示テーブル（ファイラ動作時表示テーブル１６ｃ又はＷＥＢブラウザ動作時表示テーブル１６ｄ）を読み出すことで、所望の処理が可能となる。
【０１０８】
図１７は、図２における操作手段に対して操作可能な非接触カードの他の構成例を示すブロック図で、図１８は、図２のＨＤＤに格納された情報の他の例を示す図で、図１９は、図１７及び図１８のごとき情報を適用する場合に、初期表示プログラムが起動しているときの表示画面例を示す図である。
【０１０９】
図１７〜図１９を参照して説明する例では、アプリケーションとして、この表示システム（情報処理装置）をテレビ（ＴＶ）会議システムの端末として機能させるためのＴＶ会議用アプリケーションが、情報処理装置に実行可能に組み込まれているものとする。ＴＶ会議システムの端末としてこの表示システム（情報処理装置）を機能させるためには、さらにカメラを内蔵又は外付けし、外部の端末又はＴＶ会議用サーバとネットワーク接続するためのネットワークアダプタ等のネットワークＩ／Ｆを具備しておけばよい。このような構成により、この表示システムを用いてユーザ及び相手先ユーザの映像・音声をリアルタイムで送受できる。
【０１１０】
また、ここで説明する例は、ＴＶ会議システムに限らず、電子会議システム全般に適用することができる。このとき搭載する電子会議用アプリケーションとしては、チャット機能／ホワイトボード機能／ファイル転送機能／他のアプリケーションの共有機能／上述のＴＶ会議機能など、様々な機能のうち、情報処理装置にいずれか１又は複数の機能を実現させるためのアプリケーションであってもよい。なお、特にホワイトボード機能をもたせた場合には、上述したタッチパネル１２を具備しておくことが好ましい。
【０１１１】
図１７で例示する非接触カード６０は、図３で例示した非接触カード６０においてメモリ６３内に格納した情報を代えたものであり、メモリ６３に、識別情報６３ａと共に、ログインコード６３ｈ、接続先情報１（６３ｉ）、接続先情報２（６３ｊ）、接続先情報３（６３ｋ）を記憶している。
【０１１２】
ログインコード６３ｈは、ＴＶ会議システムを起動するために入力するコードであり、ユーザＩＤ及び／又はパスワードでよい。接続先情報１〜３（６３ｉ〜６３ｋ）は、各接続先を示すＩＰアドレスや、各接続先と接続するためのパスワード等の情報であり、接続先コードとも呼べる。ここで例示するＴＶ会議システムは、このＴＶ会議システムを採用する会社において、この表示システムが少なくとも本社に設置され、インターネットやイントラネットなど本社外部のネットワークに接続可能となっているものとする。そして、接続先情報１（６３ｉ），２（６３ｊ），３（６３ｋ）として、それぞれ、東京支社のＩＰアドレス及びパスワード、米国支社のＩＰアドレス及びパスワード、中国工場のＩＰアドレス及びパスワードが記憶されているものとして説明する。
【０１１３】
また、図１８で例示するように、本例ではＨＤＤ１６（又はメモリ１３）に、ユーザ情報テーブル１６ａと共に、初期画面表示テーブル１６ｅが格納されている。初期画面表示テーブル１６ｅは、ファイラ等に対応した図４の初期画面表示テーブル１６ｂの代わりに格納されたテーブルであり、ＴＶ会議用アプリケーションに対応した情報（図１７に例示の情報６３ｈ〜６３ｋに対応した情報）が含まれている。なお、図１８では、図４の各アプリケーション動作時テーブル１６ｃ，１６ｄに対応するＴＶ会議用ソフト動作時テーブルのごときテーブルを用いずに、初期画面表示テーブル１６ｅで事足りるような例を示している。
【０１１４】
初期画面表示テーブル１６ｅには、初期画面表示のみに用いるデータとして、起動アプリケーション名「ＴＶ会議用ソフト」、アイコン表示範囲、及びカード検知座標範囲が、それぞれ関連づけられ記憶されている。このアイコン表示範囲「（Ｘａ，Ｙａ）−（Ｘｂ，Ｙｂ）」は、「（Ｘ１ａ，Ｙ１ａ）−（Ｘ１ｂ，Ｙ１ｂ）」、「（Ｘ２ａ，Ｙ２ａ）−（Ｘ２ｂ，Ｙ２ｂ）」、「（Ｘ３ａ，Ｙ３ａ）−（Ｘ３ｂ，Ｙ３ｂ）」の全ての範囲を含み、さらに後述する「ＴＶ会議」の文字表示が可能な領域が、これら３つの範囲以外に含まれるものとする。なお、このアイコン表示範囲「（Ｘａ，Ｙａ）−（Ｘｂ，Ｙｂ）」の代わりに、これら３つの範囲を包含する範囲を外枠とし、内枠としてこれら３つの範囲を指定し、表示時にこれら３つの範囲を除いてアイコン表示させてもよい。また、初期画面表示のみに用いるデータとしては、ＴＶ会議用ソフトで必要となる入力情報、アンテナ番号、及びカード検知座標範囲を全て空欄としているが、記述しておき初期画面表示時には参照しないものとして取り扱ってもよい。
【０１１５】
さらに、初期画面表示テーブル１６ｅには、初期画面表示時だけでなく、非接触カード６０による操作時にも用いるデータとして、起動アプリケーション名「ＴＶ会議」、そのアプリケーションで必要となる入力情報の名前「ログインコード・接続先情報（接続先情報１〜３のいずれか）」、アンテナ番号、アイコン表示範囲、及びカード検知座標範囲が、それぞれ関連づけられ記憶されている。ここで、接続先情報１，２，３の名前として、それぞれ「東京支社」、「米国支社」、「中国工場」が記憶され、また読み出し先の非接触カード６０のメモリアドレスと関連づけて記憶されているものとする。
【０１１６】
また、図１９の表示画面例は、図７の表示画面例と同様に、ＣＰＵ１５が初期表示プログラムを起動することで表示されたものである。より具体的には、初期表示プログラムは、初期画面表示テーブル１６ｅを参照し、アイコン表示範囲に記載されている座標に対応する、ＴＶ会議用アプリケーションであることを示すＴＶ会議アイコン５７や、ＴＶ会議用アプリケーションで接続する接続先を示すアイコン５７ａ〜５７ｃを、図１９の表示画面５６のように表示する。
【０１１７】
アイコン５７ａ〜５７ｃについて補足説明する。表示画面５６には、東京支社への接続を示す東京支社アイコン５７ａ、米国支社への接続を示す米国支社アイコン５７ｂ、中国工場への接続を示す中国工場アイコン５７ｃが、それぞれ上述したアイコン５０ａ〜５０ｃとして表示されている。すなわち、Ｎｏ．１のアンテナ３０ａの上に東京支社アイコン５７ａが、Ｎｏ．２のアンテナ３０ｂの上に米国支社アイコン５７ｂが、Ｎｏ．３のアンテナ３０ｃの上に中国工場アイコン５７ｃが、それぞれ重なるよう表示されている。初期画面表示テーブル１６ｅを上から順に参照していき、まずＴＶ会議アイコン５７を描画し、続いて東京支社アイコン５７ａ、米国支社アイコン５７ｂ、中国工場アイコン５７ｃを上書きで描画していくことで、図１９に例示したような表示画面５６が表示できる。なお、アイコン表示範囲「（Ｘａ，Ｙａ）−（Ｘｂ，Ｙｂ）」の代わりに、上述のごとく外枠及び内枠で範囲を指定した場合には、同様に順番に参照していき表示させていってもよいが、順序を問わず参照して表示させていっても差し支えない。このようにして、アンテナＮｏ．１，２，３のアンテナ３０ａ，３０ｂ，３０ｃにまたがって「ＴＶ会議システム」の起動アイコン（親アイコン）５７が表示され、アンテナ３０ａ，３０ｂ，３０ｃには各接続先１，２，３のアイコン（子アイコン）５７ａ，５７ｂ，５７ｃが表示される。
【０１１８】
ユーザ操作（ＴＶ会議開始操作）は、表示画面５６の接続先情報１〜３のアイコン５７ａ〜５７ｃのいずれかに非接触カード６０を近接させることで行う。例えば、米国支社とのＴＶ会議を実行したいのであれば米国支社アイコン５７ｂの位置に非接触カード６０を近接させればよい。このような操作により、米国支社アイコン５７ｂの裏側のＮｏ．２のアンテナ３０ｂで非接触カード６０の近接を検出して、識別情報６３ａを非接触カード６０から読み出してユーザ認証を実行する。ユーザ認証に成功した場合には、初期画面表示テーブル１６ｅを参照して非接触カード６０からログインコード６３ｈと接続先情報２（６３ｊ）を読み出し、ＴＶ会議用アプリケーションを起動して読み出した情報６３ｈ，６３ｊをそのＴＶ会議用アプリケーションに渡す。ＴＶ会議用アプリケーションは、ログインコード６３ｈを用いてＴＶ会議システムにログインし、さらに接続先情報２（６３ｊ）、すなわち米国支社用のＩＰアドレス及びパスワードを用いてそのＩＰアドレスに接続要求を行い、米国支社のシステムからのパスワード認証成功の応答により米国支社のシステムに接続する。このようにして、米国支社とのＴＶ会議を速やかに実行することができる。
【０１１９】
ここで、米国支社用のパスワードはログインコード６３ｈで認証が実行できるため無くてもよく、接続先情報６３ｉ，６３ｊ，６３ｋとしてはＩＰアドレスのみ非接触カード６０に記憶しておき読み出してもよい。また、本社側から米国支社側へと接続要求することを前提に説明したが、米国支社のシステムからの接続要求がきている状態で、同様のユーザ操作（或いは「接続承認」などのアイコンを表示させそこに非接触カード６０を近接させるなどの操作）を行うことで、その接続先（米国支社のシステム）からの接続要求に対する承認を行うことも可能にしておくことが好ましい。
【０１２０】
また、２点間でのＴＶ会議を前提として説明したが、例えば東京支社とＴＶ会議中に米国支社もＴＶ会議に参加させるためには米国支社アイコン５７ｂに非接触カード６０を近接させればよい。また、連続して東京支社アイコン５７ａと米国支社アイコン５７ｂとに非接触カード６０を近接させた場合には、本社、東京支社、米国支社の三者でＴＶ会議を始めることができるよう制御してもよい。
【０１２１】
以上、ＴＶ会議用アプリケーションを挙げて説明したように、表示システム（情報処理装置）に、或るアプリケーションが実行可能に組み込まれており、且つこのアプリケーションは、複数のアンテナ３０ｎのうち２以上の所定数（勿論、全数であってもよい）のアンテナ３０ｎに対応させた共通のアプリケーションとしてもよい。この所定数のアンテナ３０ｎは隣り合うアンテナ同士であることが望ましい。そして、所定数のアンテナ３０ｎに応じた異なる種類の情報は、共通のアプリケーションを実行する際に、各情報のうちいずれか１つが選択的に必要な情報（以下、選択情報と呼ぶ）であるものとする。この例では、選択情報は、接続先情報１〜３（６３ｊ〜６３ｋ）が該当する。
【０１２２】
そして、通信制御手段は、所定数のアンテナ３０ｎに応じた異なる種類の情報の一つとして、非接触カード６０内のメモリ６３の所定のアドレスから選択情報を（選択的に）読み出すよう、所定数のアンテナ３０ｎの一つ（この例ではアンテナ３０ａ〜３０ｃのうちアンテナ３０ｂ）を制御するとよい。さらら、情報処理装置は、通信制御手段によって選択情報が読み出されたときに、共通のアプリケーションにその選択情報を渡す。このとき、共通のアプリケーションが起動していなければ、起動させればよい。この例では、アンテナ３０ｂが制御されて米国支社を示す接続先情報２（６３ｊ）が読み出されると共に、ＴＶ会議用アプリケーションが起動される。
【０１２３】
また、ＴＶ会議システムにおけるログインコード６３ｈの読み出しについて例示したように、通信制御手段は、上述の選択情報に加え、共通のアプリケーションを実行する際に必要な共通の情報を読み出すよう、所定数のアンテナ３０ｎの一つ（この例ではアンテナ３０ａ〜３０ｃのうちアンテナ３０ｂ）を制御することが好ましい。そして、情報処理装置は、通信制御手段によって共通の情報及び／又は選択情報が読み出されたときに、共通のアプリケーションを起動するとよい。
【０１２４】
また、図１９で例示したように、予め同一のアプリケーションに関連する複数の情報を非接触カード６０に記憶させておき、複数のアンテナにまたがって１つの親アイコンを、各アンテナ３０ｎのいずれか複数に対応する子アイコンを含んで表示しておくことが好ましい。これにより、その親アイコンに含まれる子アイコンに非接触カード６０を近接させるだけで、近接させたアンテナ位置に応じて複数の情報の中から１つの情報を選択して入力し、そのアプリケーションを実行することができる。すなわち、表示制御手段が、表示画面に、所定数のアンテナ３０ｎの位置にまたがった位置（近接位置を包含する領域）に、共通のアプリケーションを示す表示を行い、且つ、所定数のアンテナ３０ｎのそれぞれに対し非接触カード６０と通信する情報を示す内容（この例では接続先の相手の情報等）で位置表示を行うことが好ましい。他の位置表示の方法として、ＴＶ会議アイコン５７を表示せずに、東京支社アイコン５７ａ、米国支社アイコン５７ｂ、中国工場アイコン５７ｃのぞれぞれに、「ＴＶ会議」であることを示す内容を追記しておいてもよい。
【０１２５】
また、接続先情報として、接続先を示すＩＰアドレス等の情報を非接触カード６０に記憶させておき、それを読み出すものとして説明したが、他の方法を採用することもできる。例えば、予め表示システム（情報処理装置）にＩＰアドレス等の情報を登録しておけばよい。より具体的には、初期画面表示テーブル１６ｅにおいて、接続先情報１，２，３として、それぞれ「東京支社」、「米国支社」、「中国工場」のアイコン表示用の接続先情報を記憶しておくと共に、それぞれのＩＰアドレスも関連づけて記憶させておけばよい。すなわち、この表示システムを予め、接続先情報１（６３ｉ）でパスワードが含まれる東京支社、接続先情報２（６３ｊ）としてパスワードが含まれる米国支社、接続先情報３（６３ｋ）でパスワードが含まれる中国工場のいずれか１又は複数との間で、ＴＶ会議が実施できるようなシステムとして構築しておく。そして、各接続先のアイコンが選択操作されたときに、初期画面表示テーブル１６ｅからはそのＩＰアドレス（例えば東京支社のＩＰアドレス）を読み出し、非接触カード６０からはそれに対応するパスワード（例えば東京支社とＴＶ会議を行うためのパスワード）のみを読み出してＴＶ会議用アプリケーションに与えるとよい。
【０１２６】
また、上述の共通アプリケーションとして適用できるＴＶ会議用アプリケーション以外のアプリケーションとしては、例えば上述したファイラ、メーラ、ＷＥＢブラウザ等が挙げられる。ファイラを適用した場合には、選択情報として、例えば子アイコンに対応させたフォルダの情報を採用してもよい。メーラを適用した場合には、選択情報として、子アイコンに対応させた送信元Ｅメールアドレスを採用してもよいし、子アイコンに対応させた送信先Ｅメールアドレスを採用してもよい。ＷＥＢブラウザを適用した場合には、選択情報として、例えば子アイコンに対応させたＷＥＢページの情報を採用してもよい。このように、複数のアンテナ３０ｎに共通に対応させたアプリケーションを搭載しておくことで、例えば複数のメールアドレス、ＵＲＬ等の情報を１枚の非接触カード６０に登録しておき、複数の情報から１つを容易に選択することができる。これにより、複数情報選択時の操作性を向上することができる。勿論、非接触カード６０にこの所定数の情報が全て格納されている必要はなく、格納されていない情報に対応するアンテナに近接された場合には、情報が当然読み取れないため、処理を終了させれば済む。
【０１２７】
また、上述のごときＴＶ会議等の電子会議システムのアプリケーションも、図７のファイラアイコン５１ａ等のアイコン５１ａ〜５１ｄと同等にアイコンを表示させ、ファイラ等のアプリケーションと同等に取り扱ってもよい。すなわち、通信制御手段は、複数のアンテナ３０ｎに応じた異なる種類の情報の一つとして、非接触カード６０内のメモリの所定のアドレスから、ＴＶ会議システム等の電子会議システムにログインする際に必要なログイン情報（ログインコード）と接続先を示す接続先情報（接続先コード）とを読み出すよう、一つのアンテナ３０ｎを制御するように構成してもよい。その場合、情報処理装置は、通信制御手段によってログイン情報及び接続先情報が読み出されたときに、ＴＶ会議用等の電子会議用アプリケーションを起動し接続先情報が示す接続先に接続するとよい。接続は、接続先からの接続要求に対する承認を行うか、或いは接続先への接続要求を行うとよい。
【０１２８】
図１７〜図１９で説明すると、アイコン５７ａ〜５７ｃのうち特定のアイコン（例えばアイコン５７ｂ）に非接触カード６０が近接させられたことを検出すると、認証後、初期画面表示テーブル１６ｅのごときテーブルを参照して、非接触カード６０のメモリの所定のアドレスからログインコード６３ｈと接続相手先コード（ここでは接続先情報６３ｋ）を読み出す。そして、ログインコードと接続相手先コードを入力してＴＶ会議用アプリケーションを起動、すなわちＴＶ会議システムを起動し、その相手先に接続するとよい。このような形態であっても、テレビ会議システムを起動する際に必要なログインコードと接続相手先コードを容易に入力して起動でき、テレビ会議が速やかに開催できる。
【図面の簡単な説明】
【０１２９】
【図１】本発明の一実施形態に係る情報処理装置（表示システム）の一例を示す外観図である。
【図２】図１の表示システムの一構成例を示すブロック図である。
【図３】図２における操作手段に対して操作可能な非接触カードの一構成例を示すブロック図である。
【図４】図２のＨＤＤに格納された情報の一例を示す図である。
【図５】図２の表示システムにおいて実行される処理の一例を説明するためのフロー図である。
【図６】図５に続くフロー図である。
【図７】図５及び図６の処理例において、初期表示プログラムが起動しているときの表示画面例を示す図である。
【図８】図７の表示画面例に続いて、ファイラアイコンに非接触カードを近接させるユーザ操作がなされるときの様子を示す図である。
【図９】図８のユーザ操作がなされたときに表示される表示画面例を示す図で、ファイル名（開く）アイコンに非接触カードを近接させるユーザ操作がなされるときの様子を示す図でもある。
【図１０】図９のユーザ操作がなされ、プレゼンファイルＢが開かれたときの画面の様子を示す図である。
【図１１】図１０の画面で開かれているプレゼンファイルＢを印刷するために、プリンタアイコンに非接触カードを近接させるユーザ操作がなされるときの様子を示す図である。
【図１２】図１０の画面で開かれているプレゼンファイルＢを電子メールで送信するために、メーラアイコンに非接触カードを近接させるユーザ操作がなされるときの様子を示す図である。
【図１３】図１０の画面で開かれているプレゼンファイルＢを非接触カードにデータ転送するために、データ転送アイコンに非接触カードを近接させるユーザ操作がなされるときの様子を示す図である。
【図１４】図７の表示画面例に続いて、ＷＥＢブラウザアイコンに非接触カードを近接させるユーザ操作がなされるときの様子を示す図である。
【図１５】図１４のユーザ操作がなされたときに表示される表示画面例を示す図で、ユーザＩＤ・パスワードアイコンに非接触カードを近接させるユーザ操作がなされるときの様子を示す図でもある。
【図１６】図１５のユーザ操作がなされ、ＷＥＢページが開かれたときの画面の様子を示す図である。
【図１７】図２における操作手段に対して操作可能な非接触カードの他の構成例を示すブロック図である。
【図１８】図２のＨＤＤに格納された情報の他の例を示す図である。
【図１９】図１７及び図１８のごとき情報を適用する場合に、初期表示プログラムが起動しているときの表示画面例を示す図である。
【符号の説明】
【０１３０】
１０…表示装置、１１…表示手段（ＬＣＤパネル）、１２…タッチパネル、１３…メモリ、１４…ＬＣＤコントローラ、１５…ＣＰＵ、１６…ＨＤＤ、２０…台座、３０…アンテナ群、３０ａ，３０ｂ，３０ｃ，３０ｄ，３０ｅ，３０ｆ，３０ｎ…アンテナ、３１…セレクタ、３２…通信ユニット、４１…スキャナ装置、４２…プリンタ、５０ａ，５０ｂ，５０ｃ，５０ｄ，５０ｅ，５０ｆ，５０ｎ…アイコン、６０…非接触カード、６１…カード側アンテナ、６２…カード側ＣＰＵ、６３…カード側メモリ。
【図１】
2009059279.tif 000003
【図２】
2009059279.tif 000004
【図３】
2009059279.tif 000005
【図４】
2009059279.tif 000006
【図５】
2009059279.tif 000007
【図６】
2009059279.tif 000008
【図７】
2009059279.tif 000009
【図８】
2009059279.tif 000010
【図９】
2009059279.tif 000011
【図１０】
2009059279.tif 000012
【図１１】
2009059279.tif 000013
【図１２】
2009059279.tif 000014
【図１３】
2009059279.tif 000015
【図１４】
2009059279.tif 000016
【図１５】
2009059279.tif 000017
【図１６】
2009059279.tif 000018
【図１７】
2009059279.tif 000019
【図１８】
2009059279.tif 000020
【図１９】
2009059279.tif 000021